(57)【要約】【課題】  前部主脚体の剛性を高めることが出来ると共に、踏板の踏面を極力広くすることの出来る脚立を提供すること。【解決手段】  左右一対の縦枠２，２間に踏杆３，４を上下複数段に取付固定してなる前部主脚体５と、左右一対の縦杆６，６間に横桟７，８を取付固定してなる後部支持脚体９との上端部どうしを、開脚姿勢と閉脚姿勢とに姿勢変更自在に枢着し、前部主脚体５における上段側踏杆３の後側端部に踏板１１の前端部を枢着すると共に、踏板１１と後部支持脚体９とを、連結部材１２によって、踏板１１が両脚体５，９の開脚時に水平となる位置と閉脚時に上向きに回動して折り畳まれる位置とに位置変更自在に連動連結している。【選択図】図３
2005120618.tif 000002
【特許請求の範囲】
【請求項１】
左右一対の縦枠間に踏杆を上下複数段に取付固定してなる前部主脚体と、左右一対の縦杆間に横桟を取付固定してなる後部支持脚体との上端部どうしを、開脚姿勢と閉脚姿勢とに姿勢変更自在に枢着し、前部主脚体における上段側踏杆の後側端部に踏板の前端部を枢着すると共に、踏板と後部支持脚体とを、連結部材によって、踏板が両脚体の開脚時に水平となる位置と閉脚時に上向きに回動して折り畳まれる位置とに位置変更自在に連動連結してなる脚立。
【請求項２】
連結部材の前端部は踏板の裏面側に取り付けヒンジ部材に枢着し、連結部材の後端部は後部支持脚体の上段側横桟に枢着してなる請求項１に記載の脚立。
【請求項３】
上段側踏杆、踏板、ヒンジ部材、上段側横桟及び連結部材は、夫々アルミ押出型材からなるもので、上段側踏杆の後側端部と踏板の前端部との枢着部、ヒンジ部材と連結部材の一端部との枢着部、及び連結部材の他端部と上段側横桟との枢着部は、夫々アルミ押出型材と一体に形成されていて、互いに回動可能に係嵌する一対のヒンジ部からなる請求項２に記載の脚立。
【発明の詳細な説明】
【技術分野】
【０００１】
本発明は、上部に踏板（天板のようなもの）を備えた脚立に関するもので、特に折り畳み可能な脚立に関する。
【背景技術】
【０００２】
この種の従来の脚立としては、公知文献を具体的に挙げることは出来ないが、図８に示すようなものが知られている。(a) は従来の脚立３１の正面図、(b) は側面図である。この脚立３１は、左右一対の縦枠２，２間に踏杆３を取付固定してなる前部主脚体５と、左右一対の縦縦杆６間に横桟２７を取付固定してなる後部支持脚体９との上端部どうしを、開脚姿勢と閉脚姿勢とに姿勢変更自在に枢着し、前部主脚体５の上部側に踏板２８の前端部を枢軸２９によって回動自在に枢着したもので、脚立３１の使用時には、両脚体５，９を開脚させて、踏板２８の後端部を後部支持脚体９の横桟２８に係止させることによって、踏板２８を水平位置に保持すると共に、両脚体５，７を開脚姿勢に保持し、使用後は、踏板２８を持ち上げて前部主脚体５内に折り畳み、両脚体５，９を互いに折り畳むようにしている。
【発明の開示】
【発明が解決しようとする課題】
【０００３】
然るに、従来の脚立３１にあっては、踏板２８の前端部を前部主脚体５に枢着するのに、踏板８の前端部に取り付けた枢軸２９の両端部を左右両縦枠２，２に半貫通させた状態で取り付けており、この枢軸２９の取付部分では左右両縦枠２，２を一体的に連結するものが無いため、どうしても前部主脚体５の剛性が弱くなっていた。また、踏板２８の前端部を前部主脚体５の縦枠２，２間に取り付けることから、踏板２８の左右方向幅が前部主脚体５における左右両縦枠２，２の間隔より狭くはなっても、その間隔より広くなることはなく、従って踏板２８の踏面を十分に広くとることが出来なかった。
【０００４】
本発明は、上記の課題に鑑み、前部主脚体４の剛性を高めることが出来ると共に、踏板８の踏面を極力広くすることの出来る脚立を提供することを目的とする。
【課題を解決するための手段】
【０００５】
請求項１に係る発明の脚立１は、左右一対の縦枠２，２間に踏杆３，４を上下複数段に取付固定してなる前部主脚体５と、左右一対の縦杆６，６間に横桟８を取付固定してなる後部支持脚体９との上端部どうしを、開脚姿勢と閉脚姿勢とに姿勢変更自在に枢着し、前部主脚体５における上段側踏杆３の後側端部に踏板１１の前端部を枢着すると共に、踏板１１と後部支持脚体９とを、連結部材１２によって、踏板１１が両脚体５，９の開脚時に水平となる位置と閉脚時に上向きに回動して折り畳まれる位置とに位置変更自在に連動連結してなることを特徴とする。
【０００６】
請求項２は、請求項１に記載の脚立において、連結部材１２の前端部は踏板１１の裏面側に取り付けたヒンジ部材１８に枢着し、連結部材１２の後端部は後部支持脚体９の上段側横桟７に枢着してなることを特徴とする。
【０００７】
請求項３は、請求項２に記載の脚立において、上段側踏杆３、踏板１１、ヒンジ部材１８、上段側横桟７及び連結部材１２は、夫々アルミ押出型材からなるもので、上段側踏杆３の後側端部と踏板１１の前端部との枢着部Ａ、ヒンジ部材１８と連結部材１２の前端部との枢着部Ｂ、及び連結部材１２の後端部と上段側横桟７との枢着部Ｃは、夫々アルミ押出型材と一体に形成されていて、互いに回動可能に係嵌する一対のヒンジ部１５，１６、１９，２０、２１，２２からなることを特徴とする。
【発明の効果】
【０００８】
請求項１に係る発明によれば、前部主脚体における上段側踏杆の後側端部に踏板の前端部を枢着し、踏板と後部支持脚体とを、連結部材によって、踏板が両脚体の開脚時に水平となる位置と閉脚時に上向きに回動して折り畳まれる位置とに位置変更自在に連動連結したものであって、脚立の上段側には、前部主脚体の左右両縦枠間に取り付け固定した固定側の踏面部（踏杆）と、この固定側踏面部に枢着した回転側踏面部（踏板）とが並設されたことになるから、その固定側踏面部で前部主脚体の剛性が弱くなることがなく、十分な剛性が確保されると共に、脚立使用時には固定側踏面部（踏杆）と回転側踏面部（踏板）の両方を踏面として有効に使用することが出来る。また、回転側踏面部である踏板は、左右両縦枠間に取り付けられる踏杆の後端部に枢着されるものであるから、この踏板の左右方向幅を、左右両縦枠間の内法（両縦枠の対向間隔）を超えた幅にすることが可能で、出来るだけ幅広い踏板を形成出来る。
【０００９】
請求項２に係る発明の脚立によれば、連結部材の前端部は踏板の裏面側に取り付けたヒンジ部材に枢着し、連結部材の後端部は後部支持脚体の上段側横桟に枢着しているから、連結部材の前後端部をヒンジ部材及び後部支持脚体に夫々枢着する際に、連結部材の位置決め及びその調整が容易となり、また連結部材の構造も簡単で小形にすることができる。また、連結部材の後端部を後部支持脚体の上段側横桟に枢着することによって、後部支持脚体側に余分な部材を設ける必要がなく、それだけ構造が簡単となる。
【００１０】
請求項３に係る発明によれば、上段側踏杆、踏板、ヒンジ部材、上段側横桟及び連結部材は、夫々アルミ押出型材からなるもので、上段側踏杆の後側端部と踏板の前端部との枢着部、ヒンジ部材と連結部材の前端部との枢着部、及び連結部材の後端部と上段側横桟との枢着部が、夫々アルミ押出型材と一体に形成されていて、互いに回動可能に係嵌する一対のヒンジ部からなるため、各枢着部の組み付けが簡単容易となり、製作コストを安く出来る。
【発明を実施するための最良の形態】
【００１１】
以下に本発明の好適な実施形態を図面に基づいて説明すると、先ず、図面の図１は本発明に係る脚立１の使用状態での斜視図、図２の(a) は使用状態での脚立１の側面図、(b)
は折り畳み状態での脚立１の側面図である。図３は使用状態での脚立１の一部拡大側面図であり、図４は脚立１の折り畳み途中での同様な側面図、図３は脚立１を折り畳んだ状態での同様な側面図である。図６の(a) は脚立１の一部を更に拡大した側面図、(b) はその側面断面図である。
【００１２】
この脚立１は、左右一対の縦枠２，２間に踏杆３，４を上下二段に取付け固定してなる前部主脚体５と、左右一対の縦杆６，６間に横桟７，８を上下二段に取付け固定してなる後部支持脚体９との上端部どうしを、開脚姿勢と閉脚姿勢とに姿勢変更自在に枢軸１０を介して枢着し、前部主脚体５における上段側踏杆３の後側端部に踏板１１の前端部を枢着すると共に、踏板１１と後部支持脚体９とを、連結部材１２によって、図２の(a) に示すように両脚体５，９の開脚時に踏板１１が水平となる位置と、図２の(b) に示すような両脚体５，９の閉脚時に踏板１１が上向きに回動して両脚体５，９間で挟まれるように折り畳まれる位置とに亘って位置変更自在に連動連結してなるものである。
【００１３】
上記脚立１の構造について詳細に説明すると、前部主脚体５を構成する縦枠２及び踏杆３，４は夫々長手方向に一様断面のアルミ押出型材からなるもので、左右両縦枠２，２間に取り付けられる各踏杆３，４は、図１、図３〜図６に示すように、両端部が夫々平面視コ字状に形成されて、縦枠２に嵌合した状態で前後方向に貫通するリベット１３により縦枠２に強固に取付け固定されている。後部支持脚体９を構成する縦杆６及び横桟７，８も夫々長手方向に一様断面のアルミ押出型材からなるもので、左右の縦杆６，６間に取り付けられる各横桟７，８は、図１、図３〜図６から分かるように縦杆６の外側面からねじ込まれるビス１４によって縦杆６に固定されている。踏板１１及び連結部材１２は、図６の(b) から分かるように、脚立１の左右方向に一様断面のアルミ押出型材からなる。尚、この実施形態では、後部支持脚体９の左右縦杆６，６間に横桟７，８を上下二段に取り付けているが、必ずしも上下二段にする必要はなく、下側の横桟８のみでもよい。
【００１４】
また図６の(a) 及び(b) に示すように、前部主脚体５における上段側踏杆３の後側端部と踏板１１の前端部との枢着部Ａは、夫々アルミ押出型材と一体に形成されていて、互いに回動可能に係嵌すると共に互いに軸方向に挿脱可能な一対のヒンジ部１６，１７からなる。
【００１５】
連結部材１２の前端部は踏板１１の裏面側の前後方向中間部に取り付けられたアルミ押出型材からなるヒンジ部材１８に枢着され、この連結部材１２の後端部は後部支持脚体９の上段側横桟７に枢着されている。而して、ヒンジ部材１８と連結部材１２の前端部との枢着部Ｂは、夫々アルミ押出型材と一体に形成されていて、互いに回動可能に係嵌すると共に互いに軸方向に挿脱可能な一対のヒンジ部１９，２０からなり、ヒンジ部材１８側のヒンジ部１９は丸軸状に形成され、連結部材１２側のヒンジ部２０は、丸軸状ヒンジ部１９に嵌合する断面略Ｃ字状に形成されている。
【００１６】
ヒンジ部材１８は、図７に示すように、丸軸状のヒンジ部１９と、この丸軸状ヒンジ部１９の両端部を支持する両側一対の支持部片３２，３２とからなる。各支持部片３２は、丸軸状ヒンジ部１９に嵌合する支持円筒部３２ａと、踏板１１の裏面側所要部にビス３３によって取り付けられる取付部３２ｂと、この取付部３２ｂと支持円筒部３２ａとをつなぐ連結部３２ｃとで構成される。そして、このヒンジ部材１８を構成する丸軸状ヒンジ部１９及び各支持部片３２は、夫々アルミ押出型材からなるものである。
【００１７】
而して、上記枢着部Ｂを構成する一対のヒンジ部１９，２０の組み付けにあたっては、連結部材１２側の断面略Ｃ字状ヒンジ部２０を丸軸状ヒンジ部１９に嵌合した後、この丸軸状ヒンジ部１９の両端部に夫々ヒンジ部材１８の支持円筒部３２ａを嵌合し、各ヒンジ部材１８の取付部３２ｂをビス３３で踏板１１の裏面側所要部に取り付ければよい。
【００１８】
また図６の(b) から分かるように、連結部材１２の後端部は後部支持脚体９の上段側横桟７に枢着され、この枢着部Ｃは、夫々アルミ押出型材と一体に形成されていて、互いに回動可能に係嵌すると共に互いに軸方向に挿脱可能な一対のヒンジ部２１，２２からなるものである。
【００１９】
踏板１１の裏面側の後端部（遊端部）には、前部主脚体５と後部支持脚体９とが開脚して踏板１１が水平に位置する時、図６に示すように後部支持脚体９における上段側踏桟７の上端部に係合する凹条部２３が設けられている。尚、両脚体５，９が開脚して踏板１１が水平に位置する時には、踏板１１は、その遊端部が後部支持脚体９の上段側踏桟７で支持されることによって安定状態になるが、この遊端部に設けられた凹条部２３が踏桟７の上端部に係合することによって、より一層安定が良くなる。
【００２０】
また、この脚立１では、図６の(b) に示すように、両脚体５，９が開脚して踏板１１が水平に位置する時に、前部主脚体５における上段側踏杆３の後側端部と踏板１１の前端部との枢着部Ａと、ヒンジ部材１８と連結部材１２の前端部との枢着部Ｂと、連結部材１２の後端部と後部支持脚体９の上段側横桟７との枢着部Ｃとが、一直線上に位置するようになっているから、脚立１が開脚姿勢にある時、つまり脚立１の使用中に、両脚体５，９を閉脚させるような何らかの外力が脚体５，９に作用しても、両脚体５，９は簡単に閉脚するようなことがなく、従って回転構造に構成された踏板１１がそのような外力の影響を受けることなく、安定した位置関係を維持することが出来る。
【００２１】
図１〜図７において、２４は、アルミ押出型材からなる踏板１１の左右両端面を塞ぐプラスチック製の化粧カバーで、ビス２５で踏板１１の左右両端面に取り付けられている。２６は、前部主脚体５において縦枠２に取り付けられる各踏杆３，４の左右各端部周縁に固着されたプラスチック製の縁枠である。
【００２２】
上述したような構成よりなる脚立１の作用について説明すると、先ず、この脚立１は、前部主脚体５における上段側踏杆３の後側端部に踏板１１の前端部を枢着し、踏板１１と後部支持脚体９とを、連結部材１２によって、踏板１１が両脚体５，９の開脚時に水平となる位置と、閉脚時に上向きに回動して両脚体５，６間で挟まれるように折り畳まれる位置とに位置変更自在に連動連結したものであって、脚立１の上段側には、前部主脚体５の左右両縦枠２，２間に取り付け固定した固定側の踏面部（踏杆３）と、この固定側踏面部に枢着した回転側踏面部（踏板１１）とが並設されたことになるから、その固定側踏面部で前部主脚体５の剛性が弱くなることがなく、十分な剛性が確保されると共に、脚立使用時には固定側踏面部（踏杆３）と回転側踏面部（踏板１１）の両方を踏面として有効に使用することが出来る。
【００２３】
また、回転側踏面部である踏板１１は、その前端部が、左右両縦枠２，２間に取り付けられる踏杆３の後端部に枢着されるものであるから、この踏板１１の左右方向幅を、左右両縦枠２，２間の内法（両縦枠２，２の対向間隔）を超えた幅にすることが可能で、出来るだけ幅広い踏板１１を形成することが出来る。
【００２４】
また、この脚立１では、上段側踏杆３、踏板１１、ヒンジ部材１８、上段側横桟７及び連結部材１２が、夫々アルミ押出型材からなるもので、上段側踏杆３の後側端部と踏板１１の前端部との枢着部Ａ、ヒンジ部材１８と連結部材１２の前端部との枢着部Ｂ、及び連結部材１２の後端部と上段側横桟７との枢着部Ｃは、夫々アルミ押出型材と一体に形成されていて、互いに回動可能に係嵌すると共に互いに軸方向に挿脱可能な一対のヒンジ部１５，１６、１９，２０、２１，２２からなるため、各枢着部Ａ，Ｂ，Ｃの組み付けが簡単容易となり、製作コストを安く出来る。
【００２５】
即ち、枢着部Ａの組み付けにあたっては、前部主脚体５における上段側踏杆３の後側端部にあるヒンジ部１５に対し、連結部材１２の前端部にあるヒンジ部１６を軸方向から挿入させればよく、またヒンジ部材１８と連結部材１２の前端部との枢着部Ｂについては、前述したようにヒンジ部材１８側のヒンジ部１９に対して連結部材１２側のヒンジ部２０を軸方向から嵌合すればよく、更に連結部材１２の後端部と後部支持脚体９の上段側横桟７との枢着部Ｃも、連結部材１２側のヒンジ部２１を、上段側横桟７のヒンジ部２２に対し軸方向から挿入すればよいから、これら枢着部Ａ，Ｂ，Ｃの組み付けを簡単容易に行うことが出来る。
【００２６】
また、この実施形態において、連結部材１２の前端部は踏板１１の裏面側に取り付けたアルミ押出型材からなるヒンジ部材１８に枢着し、連結部材１２の後端部は後部支持脚体９の上段側横桟７に枢着しているから、連結部材１２の前後端部をヒンジ部材１８及び後部支持脚体９に夫々枢着する際に、連結部材１２の位置決め及びその調整が容易となり、また連結部材１２の構造も簡単で小形にすることができる。即ち、踏板１１裏面の任意の位置にヒンジ部材１８を取り付けることができるから、連結部材１２のの前後端部の枢着位置がずれても、そのずれの調整が可能で、連結部材１２の前後端部を踏板１１及び後部支持脚体９に対し的確に枢着することができると共に、連結部材１２を図７に示すように幅の狭いものにすることができる。また、連結部材１２の後端部を後部支持脚体９の上段側横桟７に枢着することによって、後部支持脚体９側に余分な部材を設ける必要がなく、それだけ構造が簡単となる。
【００２７】
図３は、前部主脚体５と後部支持脚体９とが開脚姿勢にあって、踏板１１が水平に位置する脚立１の使用状態を示す。この使用状態から、図４に示すように、踏板１１を持ち上げながら、前部主脚体５と後部支持脚体９とを互いに引き寄せるようにすることにより、脚立１は図５に示すような閉脚姿勢となり、踏板１１は上向きに展開して両脚体５，９内に折り畳まれる。また、図３に示すように前部主脚体５と後部支持脚体９とが開脚姿勢にある使用状態では、前部主脚体５における上段側踏杆３の後側端部と踏板１１の前端部との枢着部Ａと、ヒンジ部材１８と連結部材１２の前端部との枢着部Ｂと、連結部材１２の後端部と後部支持脚体９の上段側横桟７との枢着部Ｃとが、図６の(b) に示すように一直線上に位置するから、脚立１の使用時に両脚体５，９を閉脚させるような何らかの外力が脚体５，９に作用しても、両脚体５，９は簡単に閉脚するようなことがなく、従って回転構造の踏板１１がそのような外力の影響を受けることなく、安定した位置関係を維持することが出来るものである。
【図面の簡単な説明】
【００２８】
【図１】本発明に係る脚立の使用状態での斜視図である。
【図２】(a) は使用状態での脚立の側面図、(b) は折り畳み状態での脚立の側面図である。
【図３】使用状態での脚立の一部拡大側面図である。
【図４】脚立の折り畳み途中での同様な側面図である。
【図５】脚立を折り畳んだ状態での同様な側面図である。
【図６】(a) は脚立の一部を更に拡大した側面図、(b) はその側面断面図である。
【図７】脚立を踏板の裏面側から見たもので、連結部材の前端部の枢着構造を示す斜視図である。
【図８】(a) は従来の脚立の正面図、(b) は側面図である。
【符号の説明】
【００２９】
１              脚立
２              縦枠
３，４          踏杆
５              前部主脚体
６              縦杆
７，８          横桟
９              後部支持脚体
１１            踏板
１２            連結部材
Ａ，Ｂ，Ｃ      枢着部
１５，１６      枢着部Ａを構成する一対のヒンジ部
１９，２０      枢着部Ｂを構成する一対のヒンジ部
２１，２２      枢着部Ｃを構成する一対のヒンジ部
【図１】
2005120618.tif 000003
【図２】
2005120618.tif 000004
【図３】
2005120618.tif 000005
【図４】
2005120618.tif 000006
【図５】
2005120618.tif 000007
【図６】
2005120618.tif 000008
【図７】
2005120618.tif 000009
【図８】
2005120618.tif 000010